(57)【特許請求の範囲】
【請求項１】
遊技を演出する映像が表示される表示面を有する長方形状の表示ユニットと、この表示ユニットが収納される長方形状のユニットケースとを備え、前記表示ユニットおよび前記ユニットケースは前記表示面をその遊技機の前方に向けた姿勢で遊技機に備えられる遊技機の表示装置において、
前記ユニットケースは、このユニットケースの前面を形成する部材であって前記表示ユニットが挿入される長方形状の枠体から成る前面側ケース部材と、前記ユニットケースの背面を形成する部材であって前記表示ユニットの背面を覆って前記前面側ケース部材に結合される長方形状の背面側ケース部材とを備え、
前記表示ユニットは長方形状の４辺を成す第１〜第４端面を備え、これら第１〜第４端面のうち前記第１，第２端面が一方の対辺を成し、前記第３，第４端面が他方の対辺を成し、
前記前面側ケース部材は、前記表示ユニットの前面の縁部を覆って位置する前面側枠部と、この前面側枠部から後方向に突出して設けられ、前記表示ユニットの前記第１〜第４端面のそれぞれに対面して位置する第１〜第４端部から構成された外周側枠部とを備え、
前記表示ユニットの前記第１端面には第１雌ネジが設けられ、前記外周側枠部の前記第１端部には第１貫通孔が設けられ、前記第１貫通孔に前記外周側枠部の外側方から第１雄ネジが挿通されて前記第１雌ネジに捻じ込まれることのみにより前記表示ユニットは前記前面側ケース部材にネジ止めされ、
前記外周側枠部の前記第３，第４端部のそれぞれには、前記外周側枠部の内方に向かって突出し、前記表示ユニットの前記第３，第４端面のそれぞれに密着して位置する複数の内周側規制部が設けられ、
前記前面側ケース部材の前記外周側枠部の左上端部、右上端部、左下端部、右下端部のそれぞれの背面には第２雌ネジが設けられ、前記背面側ケース部材の左上端部、右上端部、左下端部、右下端部のそれぞれには第２貫通孔が設けられ、前記第２貫通孔に後方から第２雄ネジが挿通されて前記第２雌ネジに捻じ込まれることにより前記前面側ケース部材に前記背面側ケース部材がネジ止めされ、
前記背面側ケース部材は、前記表示ユニットの背面に密着して位置する背面側規制部を備え、この背面側規制部は前記前面側枠部との間で前記表示ユニットを挟持することを特徴とする遊技機の表示装置。
【請求項２】
請求項１に記載の遊技機の表示装置において、
前記ユニットケースは、前記背面側ケース部材を前記前面側ケース部材に位置決めする位置決め構造を備え、この位置決め構造は、前記第１貫通孔が位置する前記ユニットケースの端部に設けられ、
前記背面側ケース部材の前記背面側規制部は前記位置決め構造に隣接することを特徴とする遊技機の表示装置。
【請求項３】
請求項１または２に記載の遊技機の表示装置において、
前記背面側規制部は、前記第２貫通孔と隣接することを特徴とする遊技機の表示装置。
【請求項４】
請求項１〜３の何れか１項に記載の遊技機の表示装置において、
前記表示ユニットの背面には、電気配線が接続されるコネクタが設けられ、
このコネクタは、前記第１雌ネジが設けられた前記表示ユニットの前記第１端面側に偏って位置することを特徴とする遊技機の表示装置。
【発明の詳細な説明】
【技術分野】
【０００１】
本発明は、パチンコ遊技機、回胴式遊技機等に備えられる遊技機の表示装置に関する。
【背景技術】
【０００２】
遊技機の表示装置に係る従来の技術としては、特許文献１に開示された可変表示ユニットがある。この可変表示ユニットは、可変表示装置を構成する内部ユニット（表示ユニット）と、この内部ユニットが収納されるユニットケースとを備える。ユニットケースは裏面側ケース（背面側ケース部材）と前面側ケース（前面側ケース部材）とを備え、これら裏面側ケースと前面側ケースは、裏面側ケースに設けられた係合穴と、前面側ケースに設けられた係合爪との係合によって結合している。
【０００３】
裏面側ケースは合成樹脂製であり、前面側が開口した箱形のものである。この裏面側ケースの内壁には、内部ユニットを固定するネジ部材を挿通するための４個の中空突起が前後方向に延びて形成されている。それら４個の中空突起のうちの２個は、裏面側ケースの上側の内壁に左右方向に並んで位置し、残りの２個は、裏面側ケースの下側の内壁に左右方向に並んで位置する。裏面側ケースの裏側から４個の中空突起のそれぞれに挿通されたネジは、内部ユニットの雌ネジの裏面に形成された４個の雌ネジのそれぞれに捻じ込まれる。つまり、内部ユニットの裏面は裏面側ケースの裏面にネジ止めされている。
【０００４】
内部ユニットは、表示器と、この表示器の制御基板とを備える。表示器は内部ユニットの前面側に位置し、制御基板は内部ユニットの裏面側に位置する。前面側ケースには表示器の前面側が配置される凹部が形成されていて、この凹部の底部には、表示器の表示部に臨んで配置される開口が形成されている。
【先行技術文献】
【特許文献】
【０００５】
【特許文献１】特開２０００−２７１２９１号公報
【発明の概要】
【発明が解決しようとする課題】
【０００６】
ところで、遊技機のメーカーは、その遊技機に実装する表示ユニットとして既製品を採用する場合がある。その既成品の表示ユニットが雌ネジを備え、その雌ネジを利用して実装対象物にネジ止めされるものである場合には、遊技機のメーカーは、その雌ネジの位置で表示ユニットをネジ止めできるユニットケースを製造する必要がある。
【０００７】
既製品の表示ユニットが長方形状で、左右両端面または上下両端面に雌ネジを備えるものであり、ケース部材が長方形状の枠体である場合、枠状のケース部材に表示ユニットが挿入された状態において枠状のケース部材と表示ユニットとの間にはクリアランスがあるため、枠状のケース部材の左右両側部または上下両端部に表示ユニットの左右両端面または上下両端面をネジ止めする際にネジを締めすぎると、枠状のケース部材が歪む。例えば、枠状のケース部材の左右両端部に表示ユニットの左右両端面をネジ止めした場合、枠状のケース部材の左右の端部がそれぞれ表示ユニットに近づく方向に撓み、枠状のケース部材の上下の端部のそれぞれが表示ユニットから離れる方向に撓む。このため、枠状のケース部材をもう片方のケース部材に対して適切に結合することができなくなる。したがって、ネジの締め具合を調整して枠状のケース部材の歪みを取り除く必要がある。しかし、そのネジの締め具合の調整の作業は、例えば、枠状のケース部材の左端部を上方に向けてネジの締め具合を調整し、その後、枠状のケース部材をひっくり返して枠状のケース部材の右端部を上方に向けてネジの締め具合を調整する、というものであり、ネジ止めの作業と同様の作業を繰り返すことになるため、煩わしい。なお、ここで「上下左右」はパチンコ機に表示ユニットおよびケース部材が備えられた状態での方向である。
【０００８】
また、最近の表示ユニットは大型化の傾向にあるが、遊技機における表示装置全体の占有スペースは、表示装置の周囲に配される他の機器との位置関係で制約されるため、表示装置全体の大型化を抑えつつ表示ユニットを大型化する工夫が必要となる。その工夫の１つとしては、枠状のケース部材の枠幅を小さくすることがある。しかし、枠状のケース部材の枠幅を小さくすると、その枠状のケース部材の強度が犠牲になるため、その枠状のケース部材は歪みやすくなってしまう。
【０００９】
そこで、枠状のケース部材に対する表示ユニットのネジ止めを、枠状のケース部材を歪ませずに簡単に行うことができるようにするため、表示ユニットと枠状のケース部材とを左右両端部のうちの一方の端部のみで、または上下両端部のうちの一方の端部のみで、ネジ止めすることが考えられる。しかし、この場合、ユニットケースに対する表示ユニットの左右方向または上下方向のガタつきは、そのネジ止めによって抑えられるが、そのネジ止めだけでは前後方向と上下方向のガタつき、または前後方向と左右方向のガタつきを十分に抑えることができない。
【００１０】
なお、特許文献１に開示された可変表示ユニットのように、裏面側ケース（背面側ケース部材）が箱形であるとともに、内部ユニット（表示ユニット）の裏面が裏面側ケース（背面側ケース部材）の裏面にネジ止めされている場合、ユニットケースに対するネジ止めの方向が裏面側から前面側に向かう方向であるので、前面側ケースとの結合に支障をきたすような歪みが裏面側ケースに生じないだけでなく、左右方向、上下方向および前後方向の全ての方向についてユニットケースに対する内部ユニットのガタつきを抑えることができる。
【００１１】
本発明は前述の事情を考慮してなされたものであり、その目的は、表示ユニットを枠状のケース部材にネジ止めする作業者に、そのネジ止めを枠状のケース部材を歪ませることなく簡単に行わせることができ、かつ、左右方向、上下方向、前後方向の全ての方向についてユニットケースに対する表示ユニットのガタつきを抑えることができる遊技機の表示装置を提供することにある。
【課題を解決するための手段】
【００１２】
前述の目的を達成するために本発明の遊技機の表示装置は次のように構成されている。
【００１３】
本発明の遊技機の表示装置は、遊技を演出する映像が表示される表示面を有する長方形状の表示ユニットと、この表示ユニットが収納される長方形状のユニットケースとを備え、前記表示ユニットおよび前記ユニットケースは前記表示面をその遊技機の前方に向けた姿勢で遊技機に備えられる遊技機の表示装置において、前記ユニットケースは、このユニットケースの前面を形成する部材であって前記表示ユニットが挿入される長方形状の枠体から成る前面側ケース部材と、前記ユニットケースの背面を形成する部材であって前記表示ユニットの背面を覆って前記前面側ケース部材に結合される長方形状の背面側ケース部材とを備え、前記表示ユニットは長方形状の４辺を成す第１〜第４端面を備え、これら第１〜第４端面のうち前記第１，第２端面が一方の対辺を成し、前記第３，第４端面が他方の対辺を成し、前記前面側ケース部材は、前記表示ユニットの前面の縁部を覆って位置する前面側枠部と、この前面側枠部から後方向に突出して設けられ、前記表示ユニットの前記第１〜第４端面のそれぞれに対面して位置する第１〜第４端部から構成された外周側枠部とを備え、前記表示ユニットの前記第１端面には第１雌ネジが設けられ、前記外周側枠部の前記第１端部には第１貫通孔が設けられ、前記第１貫通孔に前記外周側枠部の外側方から第１雄ネジが挿通されて前記第１雌ネジに捻じ込まれることのみにより前記表示ユニットは前記前面側ケース部材にネジ止めされ、前記外周側枠部の前記第３，第４端部のそれぞれには、前記外周側枠部の内方に向かって突出し、前記表示ユニットの前記第３，第４端面のそれぞれに密着して位置する複数の内周側規制部が設けられ、前記前面側ケース部材の前記外周側枠部の左上端部、右上端部、左下端部、右下端部のそれぞれの背面には第２雌ネジが設けられ、前記背面側ケース部材の左上端部、右上端部、左下端部、右下端部のそれぞれには第２貫通孔が設けられ、前記第２貫通孔に後方から第２雄ネジが挿通されて前記第２雌ネジに捻じ込まれることにより前記前面側ケース部材に前記背面側ケース部材がネジ止めされ、前記背面側ケース部材は、前記表示ユニットの背面に密着して位置する背面側規制部を備え、この背面側規制部は前記前面側枠部との間で前記表示ユニットを挟持することを特徴とする。ここで、表示ユニット、ユニットケース、前面側ケース部材および背面側ベース部材の形状である長方形状は、それらが遊技機に備えられた状態において上下方向に長い長方形状、左右方向に長い長方形状および正方形状を含む。
【００１４】
このように構成された本発明の遊技機の表示装置において、表示ユニットは第１貫通孔に外周側枠部の外側方から第１雄ネジが挿通されて第１雌ネジに捻じ込まれることのみにより前面側ケース部材にネジ止めされる。つまり、前面側ケース部材に対する表示ユニットのネジ止め作業は、前面側ケース部材の第１端部側のみで行われることになる。これによって、本発明の遊技機の表示装置は、表示ユニットを前面側ケース部材（枠状のケース部材）にネジ止めする作業者に、そのネジ止めを前面側ケース部材を歪ませることなく簡単に行わせることができる。
【００１５】
また、表示ユニットが遊技機に備えられた状態において、表示ユニットの第１端面、第２端面、第３端面、第４端面のそれぞれが右端面、左端面、上端面、下端面のそれぞれを成す場合に、表示ユニットの左右方向の一方の端面である右端面（第１端面）が、前面側ケース部材（枠状のケース部材）の左右方向の一方の端部である右端部（第１端部）に対し、第１雌ネジと第１貫通孔と第１雄ネジとによってネジ止めされることになる。この場合、本発明の遊技機の表示装置は、そのネジ止めによって、ユニットケースに対する表示ユニットの左右方向のガタつきを抑えることができる。
【００１６】
表示ユニットが遊技機に備えられた状態において、表示ユニットの第１端面、第２端面、第３端面、第４端面のそれぞれが左端面、右端面、下端面、上端面のそれぞれを成す場合に、表示ユニットの左右方向の一方の端面である左端面（第１端面）が、前面側ケース部材（枠状のケース部材）の左右方向の一方の端部である左端部（第１端部）に対し、第１雌ネジと第１貫通孔と第１雄ネジとによってネジ止めされることになる。この場合、本発明の遊技機の表示装置は、そのネジ止めによって、ユニットケースに対する表示ユニットの左右方向のガタつきを抑えることができる。
【００１７】
表示ユニットが遊技機に備えられた状態において、表示ユニットの第１端面、第２端面、第３端面、第２端面のそれぞれが上端面、下端面、左端面、右端面のそれぞれを成す場合に、表示ユニットの上下方向の一方の端面である上端面（第１端面）が、前面側ケース部材（枠状のケース部材）の上下方向の一方の端部である上端部（第１端部）に対し、第１雌ネジと第１貫通孔と第１雄ネジとによってネジ止めされることになる。この場合、本発明の遊技機の表示装置は、そのネジ止めによって、ユニットケースに対する表示ユニットの上下方向のガタつきを抑えることができる。
【００１８】
表示ユニットが遊技機に備えられた状態において、表示ユニットの第１端面、第２端面、第３端面、第４端面のそれぞれが下端面、上端面、右端面、左端面のそれぞれを成す場合に、表示ユニットの上下方向の一方の端面である下端面（第１端面）が、前面側ケース部材（枠状のケース部材）の上下方向の一方の端部である下端部（第１端部）に対し、第１雌ネジと第１貫通孔と第１雄ネジとによってネジ止めされることになる。この場合、本発明の遊技機の表示装置は、そのネジ止めによって、ユニットケースに対する表示ユニットの上下方向のガタつきを抑えることができる。
【００１９】
また、本発明の遊技機の表示装置において、前面側ケース部材の外周側枠部の第３，第４端部のそれぞれには、外周側枠部の内方に向かって突出し表示ユニットの第３，第４端面のそれぞれに密着して位置する内周側規制部が設けられている。つまり、表示ユニットが遊技機に備えられた状態において、表示ユニットの第１端面、第２端面、第３端面、第４端面のそれぞれが右端面、左端面、上端面、下端面のそれぞれを成す場合に、第３端部に設けられた内周側規制部は表示ユニットの上方向の移動を規制することになり、第４端部に設けられた内周側規制部は表示ユニットの下方向の移動を規制することになる。この場合、本発明の遊技機の表示装置は、ユニットケースに対する表示ユニットの上下方向のガタつきを抑えることができる。
【００２０】
表示ユニットが遊技機に備えられた状態において、表示ユニットの第１端面、第２端面、第３端面、第４端面のそれぞれが左端面、右端面、下端面、上端面のそれぞれを成す場合に、第３端部に設けられた内周側規制部は表示ユニットの下方向の移動を規制することになり、第４端部に設けられた内周側規制部は表示ユニットの上方向の移動を規制することになる。この場合、本発明の遊技機の表示装置は、ユニットケースに対する表示ユニットの上下方向のガタつきを抑えることができる。
【００２１】
表示ユニットが遊技機に備えられた状態において、表示ユニットの第１端面、第２端面、第３端面、第４端面のそれぞれが上端面、下端面、左端面、右端面のそれぞれを成す場合に、第３端部に設けられた内周側規制部は表示ユニットの左方向の移動を規制することになり、第４端部に設けられた内周側規制部は表示ユニットの右方向の移動を規制することになる。この場合、本発明の遊技機の表示装置は、ユニットケースに対する表示ユニットの左右方向のガタつきを抑えることができる。
【００２２】
表示ユニットが遊技機に備えられた状態において、表示ユニットの第１端面、第２端面、第３端面、第４端面のそれぞれが、下端面、上端面、右端面、左端面のそれぞれを成す場合に、第３端部に設けられた内周側規制部は表示ユニットの右方向の移動を規制することになり、第４端部に設けられた内周側規制部は表示ユニットの左方向の移動を規制することになる。この場合、本発明の遊技機の表示装置は、ユニットケースに対する表示ユニットの左右方向のガタつきを抑えることができる。
【００２３】
また、本発明の遊技機の表示装置において、背面側ケース部材は左上端部、右上端部、左下端部、右下端部の箇所で、第２貫通孔、第２雌ネジ、第２雄ネジによってネジ止めされる。そして、背面側ケース部材は表示ユニットの背面に密着して位置し、前面側ケース部材の前面側枠部との間で表示ユニットを挟持する。つまり、前面側枠部は表示ユニットの前方向の移動を規制し、背面側規制部は表示ユニットの後方向の移動を規制する。これにより、本発明の遊技機の表示装置は、ユニットケースに対する表示ユニットの前後方向のガタつきを抑えることができる。
【００２４】
本発明の遊技機の表示装置は、前述した本発明の遊技機の表示装置の構成において、前記ユニットケースは、前記背面側ケース部材を前記前面側ケース部材に位置決めする位置決め構造を備え、この位置決め構造は、前記第１貫通孔が位置する前記ユニットケースの端部に設けられ、前記背面側ケース部材の前記背面側規制部は前記位置決め構造に隣接することを特徴とするものであってもよい。
【００２５】
このように構成された本発明の遊技機の表示装置を組み立てる際、作業者は、表示ユニットが挿入された状態の前面側ケース部材に対して背面側ケース部材を、第２雌ネジと第２貫通孔と第２雄ネジとによってネジ止めする前に、位置決め構造を利用して前面側ケース部材に対し背面側ケース部材を位置決めする。このとき、位置決め構造は第１貫通孔が位置するユニットケースの端部に位置し、背面側ケース部材の背面側規制部はその位置決め構造に隣接する。これにより、本発明の遊技機の表示装置は作業者に、背面側規制部を表示ユニットの背面に適切に密着させて配置させることができる。
【００２６】
本発明の遊技機の表示装置は、前述した本発明の遊技機の表示装置の構成において、前記背面側規制部は、前記第２貫通孔と隣接することを特徴とするものであってもよい。
【００２７】
このように構成された本発明の遊技機の表示装置は、第２雌ネジと第２貫通孔と第２雄ネジによるネジ止めの締結力を利用して、背面側規制部を表示ユニットの背面に押し付けることができ、したがって、ユニットケースに対する表示ユニットの前後方向のガタつきを確実に抑えることができる。
【００２８】
本発明の遊技機の表示装置は、前述した本発明の遊技機の表示装置の構成において、前記表示ユニットの背面には、電気配線が接続されるコネクタが設けられ、このコネクタは、前記第１雌ネジが設けられた前記表示ユニットの前記第１端面側に偏って位置することを特徴とするものであってもよい。
【００２９】
このように構成された本発明の遊技機の表示装置は、表示ユニットの第１端面が前面側ケース部材の第１端部にネジ止めされた状態において、コネクタは表示ユニットの第１端面と前面側ケース部材の第１端部とのネジ止め箇所（第１雌ネジ、第１貫通孔、第１雄ネジ）側に偏って位置するので、コネクタに対する電気配線の抜き差しの際のガタつきを、そのコネクタがそのネジ止め箇所と反対側に偏って位置する場合よりも抑えることができる。
【発明の効果】
【００３０】
本発明の遊技機の表示装置によれば、表示ユニットを前面側ケース部材（枠状のケース部材）にネジ止めする作業者に、そのネジ止めを前面側ケース部材を歪ませることなく簡単に行わせることができ、かつ、左右方向、上下方向、前後方向の全ての方向についてユニットケースに対する表示ユニットのガタつきを抑えることができる。
【図面の簡単な説明】
【００３１】
【図１】本発明の一実施形態の表示装置が適用される遊技機（パチンコ機）の外観斜視図である。
【図２】図１に示したパチンコ機のガラス扉が開けられた状態の外観斜視図である。
【図３】図１に示したパチンコ機に備えられた遊技盤の前面図である。
【図４】本発明の遊技機の表示装置の一実施形態の外観斜視図である。
【図５】表示ユニットと前面側ケース部材との組立物に対して背面側ケース部材がネジ止めされる様子を示す分解斜視図である。
【図６】表示ユニットと前面側ケース部材との組立物の背面を示す図であって、「（ａ）」はその組立物の背面図であり、「（ｂ）」は「（ａ）」におけるＢ部の拡大図である。
【図７】前面側ケース部材に対する表示ユニットのネジ止め構造を示す図であって、「（ａ）」は前面側枠部に対し表示ユニットが挿入される前の状態を示す分解斜視図、「（ｂ）」は「（ａ）」におけるＢ部の拡大図、「（ｃ）」は「（ａ）」におけるＣ部の拡大図である。
【図８】背面側ケース部材に備えられた背面側規制部を示す図であって、「（ａ）」は表示装置の背面図、「（ｂ）」は「（ａ）」のＢ−Ｂ断面図、「（ｃ）」は「（ｂ）」におけるＣ部の拡大図、「（ｄ）」は「（ｂ）」におけるＤ部の拡大図である。
【図９】前面側ケース部材に対する背面側ケース部材の位置決め構造を示す図であって、「（ａ）」は前面側ケース部材および背面側ケース部材のそれぞれの背面を示す斜視図であり、「（ｂ）」は「（ａ）」におけるＢ部の拡大図である。
【発明を実施するための形態】
【００３２】
本発明の一実施形態の表示装置は図１に示す遊技機、すなわちパチンコ機１に適用されるものである。このパチンコ機１について、図１〜図３を用いて説明する。
【００３３】
図１，図２に示すように、パチンコ機１は、遊技場の島設備に設置される縦長方形状の枠体から成る機枠２と、この機枠２に開き戸状に開閉自在に取り付けられた枠体から成る本体枠３と、この本体枠３の内側に装着された遊技盤３０と、本体枠２の前面に開き戸状に開閉自在に取り付けられ、中央に大きく開き戸状に開閉自在なガラス窓４ａが設けられたガラス扉４と、本体枠３の下側に開き戸状に開閉自在に設けられ、遊技球を収容する受皿６を有する前面ボード５と、本体枠３の下側に設けられ前面ボード５に覆われた遊技球の発射装置１０と、前面ボード５に回動操作が可能に設けられたハンドル７と、ガラス扉４の左上部および右上部のそれぞれに設けられたスピーカ８とを備える。
【００３４】
図２に示すように、遊技盤３０は、その盤面に遊技球が流下する遊技領域３１を備える。この遊技領域３１は、発射装置１０から発射された遊技球を遊技領域３１に向かって滑走させるガイドレール３２と遊技球規制レール３３とによって略円形状に区画形成されている。この遊技領域３１を遊技者はガラス窓４ａを通じて観察することができる。前面ボード５の受皿６に収容された遊技球は、発射装置１０に１個ずつ供給されるようになっている。発射装置１０は、ハンドル７の回動操作に応じた発射強度で遊技球を発射するよう制御されるようになっている。図２において、遊技領域３１内の構成の図示を省略した。
【００３５】
図３に示すように、遊技領域３１内には、第１特別図柄表示装置４１と、第２特別図柄表示装置４２と、普通図柄表示装置４３と、演出表示装置５０、第１始動入賞口６１と、第２始動入賞口６２と、電動チューリップ６３と、大入賞口６４と、アタッカー装置６５と、スルーチャッカ６６とが設けられている。これらの他にも、遊技領域３１内には風車、遊技釘等が設けられているが、それらの図示は省略した。
【００３６】
第１始動入賞口６１は、第１特別図柄に係る当否の抽選の契機を生じさせるためのものである。そして、第１特別図柄表示装置４１は、第１特別図柄に係る当否の抽選の結果に基づいて、第１特別図柄が所定の変動時間だけ変動表示された後に停止表示されるよう制御される。
【００３７】
第２始動入賞口６２は、第２特別図柄に係る当否の抽選の契機を生じさせるためのものである。そして、第２特別図柄表示装置４２は、第２特別図柄に係る当否の抽選の結果に基づいて、第２特別図柄が所定の変動時間だけ変動表示された後に停止表示されるよう制御される。
【００３８】
スルーチャッカ６６は、遊技球が通過可能なゲート構造を成したものである。このスルーチャッカ６６は、普通図柄に係る当否の抽選の契機を生じさせるためのものである。普通図柄表示装置４３は、スルーチャッカ６６を遊技球が通過したことに基づいて行われた普通図柄に係る当否の抽選の結果に基づいて、普通図柄が所定時間だけ変動表示された後に停止表示されるよう制御される。
【００３９】
電動チューリップ６３は、第２始動入賞口６２の入口に設けられ、遊技盤３０の面に直交する軸を中心に回動する１対の羽根部材とを備え、スルーチャッカ６６を遊技球が通過したことに基づいて行われた普通図柄に係る抽選で普図当りに当選した場合に、その１対の羽根部材が開くよう（第２始動入賞口６２の入口が拡大されるよう）制御される。
【００４０】
大入賞口６４は左右方向を長手方向として形成された長い長方形の開口であり、第２始動入賞口６２の下方に設けられている。アタッカー装置６５は、遊技盤３０の盤面に平行な軸を中心に前後方向にフラップ状に回動自在な蓋部材を備える。アタッカー装置６５の蓋部材が開いた状態は大入賞口６４への遊技球の入賞が可能な状態であり、アタッカー装置６５の蓋部材が閉じた状態は大入賞口６４への遊技球の入賞が不可能な状態である。アタッカー装置６５は、第１特別図柄に係る当否の抽選で特図当りに当選した場合と、第２特別図柄に係る当否の抽選で特図当りに当選した場合とに、所定ラウンド数（所定回数）だけ開閉するよう制御され、これによって遊技者に大当り遊技が提供される。
【００４１】
演出表示装置５０は液晶表示装置から成り、遊技盤３０の略中央部に設けられている。この演出表示装置５０は、第１特別図柄の変動時間に対応する所定の演出態様での演出表示、および、第２特別図柄の変動時間に対応する所定の演出態様での演出表示など、遊技を演出する映像の表示が行われるよう制御されるものである。
【００４２】
本実施形態の表示装置は図４に示す表示装置１００であり、前述の演出表示装置５０としてパチンコ機１に適用されるものである。次に、その表示装置１００について図３〜図９を用いて説明する。
【００４３】
表示装置１００は、図４，図５に示すように、遊技を演出する映像が表示される表示面１０１ａを有する長方形状の表示ユニット１０１と、表示面１０１ａを覆って位置する長方形状の透明板１２０と、表示ユニット１０１および透明板１２０が収納される長方形状のユニットケース１３０とを備える。これら表示ユニット１０１およびユニットケース１３０はパチンコ機１に備えられた状態において、すなわち、図３に示すように遊技盤３０に取り付けられた状態において、表示面１０１ａをそのパチンコ機１の前方に向けた姿勢を成す。
【００４４】
図５に示すように、ユニットケース１３０は、このユニットケース１３０の前面を形成する部材であって表示ユニット１０１が挿入される長方形状の枠体から成る前面側ケース部材１４０と、ユニットケース１３０の背面を形成する部材であって表示ユニット１０１の背面を覆って前面側ケース部材１４０に結合される長方形状の背面側ケース部材１６０とを備える。これら前面側ケース部材１４０および背面側ケース部材１６０は何れも合成樹脂製の部材である。
【００４５】
表示ユニット１０１は、ＬＣＤ（Liquid Crystal Display）と、このＬＣＤの制御基板とを、金属製ケースに収納してなるものである。この表示ユニット１０１は、図７に示すように、長方形状の４辺を成す第１〜第４端面１１１〜１１４を備え、これら第１〜第４端面１１１〜１１４のうち、第１，第２端面１１１，１１２は一方の対辺を成し、第３，第４端面１１３，１１４は他方の対辺を成す。本実施形態において、表示ユニット１０１は、第１端面１１１、第２端面１１２、第３端面１１３、第４端面１１４のそれぞれが、表示ユニット１０１の右端面、左端面、上端面、下端面のそれぞれを成すようパチンコ機１に備えられる。
【００４６】
図４〜図７に示すように、前面側ケース部材１４０は、この前面側ケース部材１４０の前面を成す前面側枠部１４１と、この前面側枠部１４１から後方に突出して形成された外周側枠部１５０とを備える。
【００４７】
前面側枠部１４１は、ユニットケース１３０に表示ユニット１０１が収納された状態において表示ユニット１０１の前面の縁部を覆って、その前面に密着して位置する。この前面側枠部１４１の内周面には、複数の透明板用規制部１４１ａが、前面側枠部１４１の内方に向かって突出して設けられている。透明板１２０は、透明板用規制部１４１ａと表示ユニット１０１の間に位置する。なお、図５，図７，図８において透明板１２０の図示は省略した。
【００４８】
外周側枠部１５０は、長方形状の４辺を成す第１〜第４端部１５１〜１５４から構成されている。これら第１〜第４端部１５１〜１５４のうち、第１，第２端面１１１，１１２は一方の対辺を成し、第３，第４端部１５３，１５４は他方の対辺を成す。これら第１〜第４端部１５１〜１５４のそれぞれは、表示ユニット１０１が前面側ケース部材１４０に挿入された状態において、表示ユニット１０１の第１〜第４端面１１１〜１１４のそれぞれに対面して位置する。つまり、外周側枠部１５０の第１端部１５１、第２端部１５２、第３端部１５３、第４端部１５４のそれぞれは、前面側ケース部材１４０の右端部、左端部、上端部、下端部のそれぞれを成す。
【００４９】
表示ユニット１０１の第１端面１１１（右側面）には、第１雌ネジ１７１が設けられている。この第１雌ネジ１７１は、第１端面１１１の長手方向の両端部（上下の端部）に設けられている。前面側ケース部材１４０の外周側枠部１５０の第１端部１５１（右端部）には、第１貫通孔１７２が設けられている。この第１貫通孔１７２は第１端部１５１の長手方向の両端部（上下の端部）に設けられている。そして、第１貫通孔１７２に外周側枠部１５０の外側方（右側方）から第１雄ネジ１７３が挿通されて第１雌ネジ１７１に捻じ込まれることのみにより表示ユニット１０１は前面側ケース部材１４０にネジ止めされている。
【００５０】
表示ユニット１０１の背面には、電気配線が接続されるコネクタ１０１ｂ，１０１ｃが固定して設けられている。これらのコネクタ１０１ｂ，１０１ｃは、第１雌ネジ１７１が設けられた表示ユニット１０１の第１端面１１１側に偏って位置する。
【００５１】
図６，図７に示すように、前面側ケース部材１４０の外周側枠部１５０の第３，第４端部１５３，１５４（上下の端部）のそれぞれには、外周側枠部１５０の内方に向かって突出した内周側規制部１５５が設けられている。この内周側規制部１５５は、第３，第４端部１５４のそれぞれの長手方向の両端部（左右の端部）に２個ずつ設けられている。第３端部１５３に設けられた内周側規制部１５５は、前面側ケース部材１４０に表示ユニット１０１が挿入された状態において、表示ユニット１０１の第３端面１１３（上端面）に密着して位置する。第４端部１５４に設けられた内周側規制部１５５は、前面側ケース部材１４０に表示ユニット１０１が挿入された状態において、表示ユニット１０１の第４端面１１４（下端面）に密着して位置する。なお、第３端部１５３に設けられた内周側規制部１５５は第３端部１５３を補強するリブを兼ね、第４端部１５４に設けられた内周側規制部１５５は第４端部を補強するリブを兼ねる。
【００５２】
図５，６に示すように、前面側ケース部材１４０の外周側枠部１５０の左上端部、右上端部、左下端部、右下端部のそれぞれの背面には第２雌ネジ１８１が設けられている。図９に示すように、背面側ケース部材１６０の左上端部、右上端部、左下端部、右下端部のそれぞれには第２貫通孔１８２が設けられている。図５に示すように、第２貫通孔１８２に後方から第２雄ネジ１８３が挿通されて第２雌ネジ１８１に捻じ込まれることにより前面側ケース部材１４０に背面側ケース部材１６０がネジ止めされている。
【００５３】
図８に示すように、背面側ケース部材１６０は、ユニットケース１３０に表示ユニット１０１が収納された状態において表示ユニット１０１の背面に密着して位置する背面側規制部１９１を備える。この背面側規制部１９１は、背面側ケース部材１６０の左上端部、右上端部、左下端部、右下端部のそれぞれに設けられている。これら背面側規制部１９１は、図９に示すように、背面側ケース部材から前方向に突出して形成された突出部１９０の前面の一部であり、前面側ケース部材１４０に背面側ケース部材１６０が第２貫通孔１８２と第２雄ネジ１８３と第２雌ネジ１８１とによりネジ止めされた状態において、前面側ケース部材１４０の前面側枠部１４１との間で表示ユニット１０１を挟持する。
【００５４】
同図９に示すように、ユニットケース１３０は、背面側ケース部材１６０を前面側ケース部材１４０に位置決めする位置決め構造２００を備える。この位置決め構造２００は、第１貫通孔１７２が位置するユニットケース１３０の端部（右端部）の長手方向の両端部（上下の端部）に設けられている。これらの位置決め構造２００は、前面側ケース部材１４０に背面側ケース部材１６０が第２貫通孔１８２、第２雄ネジ１８３および第２雌ネジ１８１によりネジ止めされた状態において、背面側規制部１９１に隣接して位置する。より詳細には、位置決め構造２００は、背面側ケース部材１６０における前述の突出部１９０の前面から前方向に突出して設けられた凸部２０１と、前面側ケース部材１４０の外周側枠部１５０の背面に設けられて凸部２０１が挿入される凹部２０２とから構成されている。
【００５５】
また、背面側ケース部材１６０における前述の突出部１９０には、前述の第２貫通孔１８２が貫通して設けられている。つまり、背面側規制部１９１は、第２貫通孔１８２と隣接する。
【００５６】
このように構成された本実施形態の表示装置１００によれば次の効果を得られる。
【００５７】
本実施形態の表示装置１００において、表示ユニット１０１は、第１貫通孔１７２に外周側枠部１５０の外側方から第１雄ネジ１７３が挿通されて第１雌ネジ１７１に捻じ込まれることのみにより、前面側ケース部材１４０にネジ止めされる。つまり、前面側ケース部材１４０に対する表示ユニット１０１のネジ止め作業は、前面側ケース部材１４０の第１端部１５１側のみで行われることになる。これによって、本実施形態の表示装置１００は、表示ユニット１０１を前面側ケース部材１４０（枠状のケース部材）にネジ止めする作業者に、そのネジ止めを前面側ケース部材１４０を歪ませることなく簡単に行わせることができる。
【００５８】
本実施形態の表示装置１００において、表示ユニット１０１の第１端面１１１は右端面を成し、この第１端面１１１が前面側ケース部材１４０の右端部である第１端部１５１に対し、第１雌ネジ１７１と第１貫通孔１７２と第１雄ネジ１７３とによってネジ止めされる。これにより、本実施形態の表示装置１００は、ユニットケース１３０に対する表示ユニット１０１の左右方向のガタつきを抑えることができる。
【００５９】
本実施形態の表示装置１００において、第３端部１５３に設けられた内周側規制部１５５は表示ユニット１０１の第３端面１１３（上端面）に密着して表示ユニット１０１の上方向の移動を規制し、第４端部１５４に設けられた内周側規制部１５５は表示ユニット１０１の第４端面１１４（下端面）に密着して表示ユニット１０１の下方向の移動を規制する。これにより、本実施形態の表示装置１００は、ユニットケース１３０に対する表示ユニット１０１の上下方向のガタつきを抑えることができる。
【００６０】
また、本実施形態の表示装置１００において、背面側ケース部材１６０は前面側ケース部材１４０に対して左上端部、右上端部、左下端部、右下端部のそれぞれの箇所で、第２雌ネジ１８１と第２貫通孔１８２と第２雄ネジ１８３とによってネジ止めされる。そして、背面側ケース部材１６０の背面側規制部１９１は表示ユニット１０１の背面に密着して、前面側ケース部材１４０の前面側枠部１４１との間で表示ユニット１０１を挟持する。つまり、前面側枠部１４１は表示ユニット１０１の前方向の移動を規制し、背面側規制部１９１は表示ユニット１０１の後方向の移動を規制する。これによって、本実施形態の表示装置１００は、ユニットケース１３０に対する表示ユニット１０１の前後方向のガタつきを抑えることができる。
【００６１】
本実施形態の表示装置１００を組み立てる際、作業者は、表示ユニット１０１が挿入された状態の前面側ケース部材１４０に対し背面側ケース部材１６０を、第２雌ネジ１８１と第２貫通孔１８２と第２雄ネジ１８３とによってネジ止めする前に、位置決め構造２００を利用して、すなわち凸部２０１を凹部２０２に挿入して、前面側ケース部材１４０に対し背面側ケース部材１６０を位置決めする。このとき、位置決め構造２００は第１貫通孔１７２が位置するユニットケース１３０の端部に位置し、背面側ケース部材１６０の背面側規制部１９１はその位置決め構造２００に隣接する。これによって、本実施形態の表示装置１００は作業者に、背面側規制部１９１を表示ユニット１０１の背面に適切に密着させて配置させることができる。
【００６２】
本実施形態の表示装置１００において、背面側規制部１９１は第２貫通孔と隣接する。これにより、本実施形態の表示装置１００は、第２雌ネジ１８１と第２貫通孔１８２と第２雄ネジ１８３によるネジ止めの締結力を利用して、背面側規制部１９１を表示ユニット１０１の背面に押し付けることができ、したがって、ユニットケース１３０に対する表示ユニット１０１の前後方向のガタつきを確実に抑えることができる。
【００６３】
本実施形態の表示装置１００において、コネクタ１０１ｂ，１０１ｃは、第１雌ネジ１７１が設けられた表示ユニット１０１の第１端面１１１側に偏って位置する。これにより、表示ユニット１０１の第１端面１１１が前面側ケース部材１４０の第１端部１５１にネジ止めされた状態において、コネクタ１０１ｂ，１０１ｃは表示ユニット１０１の第１端面１１１と前面側ケース部材１４０の第１端部１５１とのネジ止め箇所（第１貫通孔１７２、第１雌ネジ１７１、第１雄ネジ１７３）側に偏って位置する。したがって、コネクタ１０１ｂ，１０１ｃに対する電気配線の抜き差しの際のガタつきを、そのコネクタ１０１ｂ，１０１ｃがそのネジ止め箇所と反対側に偏って位置する場合よりも抑えることができる。さらに、表示ユニット１０１のコネクタ１０１ｂ，１０１ｃに電気配線が接続された状態において、外部からの衝撃により表示ユニット１０１が振動した際に、コネクタ１０１ｂ，１０１ｃに対する電気配線のガタつきを、そのコネクタ１０１ｂ，１０１ｃがそのネジ止め箇所と反対側に偏って位置する場合よりも抑えることができ、コネクタ１０１ｂ，１０１ｃに対する電気配線の適切な接続状態を安定させることができる。
【００６４】
なお、前述の実施形態の表示装置１００において、表示ユニット１０１は第１端面１１１、第２端面１１２、第３端面１１３、第４端面１１４のそれぞれが右端面、左端面、上端面、下端面のそれぞれを成す姿勢でパチンコ機１に備えられていたが、パチンコ機１に備えられた表示ユニット１０１の姿勢は、その姿勢に限定されるものではなく、別の姿勢であってもよい。具体的には、第１端面１１１、第２端面１１２、第３端面１１３、第４端面１１４のそれぞれが表示ユニット１０１の左端面、右端面、下端面、上端面のそれぞれを成す姿勢、上端面、下端面、左端面、右端面のそれぞれを成す姿勢、下端面、上端面、右端面、左端面のそれぞれを成す姿勢であってもよい。
【００６５】
第１端面１１１、第２端面１１２、第３端面１１３、第４端面１１４のそれぞれが表示ユニット１０１の左端面、右端面、下端面、上端面のそれぞれを成す場合に、表示ユニット１０１の左右方向の一方の端面である左端面（第１端面１１１）は、前面側ケース部材１４０の左右方向の一方の端部である左端部（第１端部１５１）に対し、第１雌ネジ１７１と第１貫通孔１７２と第１雄ネジ１７３とによりネジ止めされることになる。さらに、第３端面１１３（下端面）に設けられた内周側規制部１５５は表示ユニット１０１の下方向の移動を規制することになり、第４端面１１４（上端面）に設けられた内周側規制部１５５は表示ユニット１０１の上方向の移動を規制することになる。この場合、表示装置１００は、第１雌ネジ１７１と第１貫通孔１７２と第１雄ネジ１７３とによるネジ止めによって、ユニットケース１３０に対する表示ユニット１０１の左右方向のガタつきを抑えることができ、内周側規制部１５５によってユニットケース１３０に対する表示ユニット１０１の上下方向のガタつきを抑えることができる。
【００６６】
第１端面１１１、第２端面１１２、第３端面１１３、第４端面１１４のそれぞれが表示ユニット１０１の上端面、下端面、左端面、右端面のそれぞれを成す場合に、表示ユニット１０１の上下方向の一方の端面である上端面（第１端面１１１）は、前面側ケース部材１４０の上下方向の一方の端部である上端部（第１端部１５１）に対し、第１雌ネジ１７１と第１貫通孔１７２と第１雄ネジ１７３とによりネジ止めされることになる。さらに、第３端面１１３（左端面）に設けられた内周側規制部１５５は表示ユニット１０１の左方向の移動を規制することになり、第４端面１１４（右端面）に設けられた内周側規制部１５５は表示ユニット１０１の右方向の移動を規制することになる。この場合、表示装置１００は、第１雌ネジ１７１と第１貫通孔１７２と第１雄ネジ１７３とによるネジ止めによって、ユニットケース１３０に対する表示ユニット１０１の上下方向のガタつきを抑えることができ、内周側規制部１５５によってユニットケース１３０に対する表示ユニット１０１の左右方向のガタつきを抑えることができる。
【００６７】
第１端面１１１、第２端面１１２、第３端面１１３、第４端面１１４のそれぞれが表示ユニット１０１の下端面、上端面、右端面、左端面のそれぞれを成す場合に、表示ユニット１０１の上下方向の一方の端面である下端面（第１端面１１１）は、前面側ケース部材１４０の上下方向の一方の端部である下端部（第１端部１５１）に対して、ネジ止めされることになる。さらに、第３端面１１３（右端面）に設けられた内周側規制部１５５は表示ユニット１０１の右方向の移動を規制することになり、第４端面１１４（左端面）に設けられた内周側規制部１５５は表示ユニット１０１の左方向の移動を規制することになる。この場合、表示装置１０１は、第１雌ネジ１７１と第１貫通孔１７２と第１雄ネジ１７３とによるネジ止めによって、ユニットケース１３０に対する表示ユニット１０１の上下方向のガタつきを抑えることができ、内周側規制部１５５によってユニットケース１３０に対する表示ユニット１０１の左右方向のガタつきを抑えることができる。
【００６８】
前述の実施形態の表示装置１００において、第１雌ネジ１７１と第１貫通孔１７２と第１雄ネジ１７３とによる表示ユニット１０１の第１端面１１１と前面側ケース部材１４０の第１端部１５１とのネジ止め箇所は２箇所であったが、１箇所であってもよい。この場合、そのネジ止め箇所は、表示ユニットの第１端面１１１における上下方向の中央に位置することが好ましい。
【００６９】
前述の実施形態の表示装置１００において、位置決め構造２００の凸部２０１は背面側ケース部材１６０に設けられ、凹部２０２は前面側ケース部材１４０に設けられていたが、凸部２０１が前面側ケース部材１４０に設けられ、凹部２０２が背面側ケース部材１６０に設けられてもよい。
【００７０】
前述の実施形態の表示装置１００はパチンコ機１に適用された例であったが、回胴式遊技機に適用されてもよい。
【符号の説明】
【００７１】
１  パチンコ機（遊技機）
１００  表示装置
１０１  表示ユニット
１０１ａ  表示面
１０１ｂ，１０１ｃコネクタ
１１１  第１端面
１１２  第２端面
１１３  第３端面
１１４  第４端面
１３０  ユニットケース
１４０  前面側ケース部材
１４１  前面側枠部
１５０  外周側枠部
１５１  第１端部
１５２  第２端部
１５３  第３端部
１５４  第４端部
１５５  内周側規制部
１６０    背面側ケース部材
１７１  第１雌ネジ
１７２  第１貫通孔
１７３  第１雄ネジ
１８１  第２雌ネジ
１８２  第２貫通孔
１８３  第２雌ネジ
１９１  背面側規制部
２００  位置決め構造
【図１】
0005947578.tif 000002
【図２】
0005947578.tif 000003
【図３】
0005947578.tif 000004
【図４】
0005947578.tif 000005
【図５】
0005947578.tif 000006
【図６】
0005947578.tif 000007
【図７】
0005947578.tif 000008
【図８】
0005947578.tif 000009
【図９】
0005947578.tif 000010